(57)【要約】【課題】学校内などに侵入する不審者の乱暴を阻止するため、現在、教師など防戦者が使っているさすまたは危険であり、防戦者にとってより安全な防御具が必要である。【解決手段】１０と１１が犯人の体にからみつくことによって、しばらくは身動きできなくさせる仕組み。【選択図】図７
2006292343.tif 000002
【特許請求の範囲】
【請求項１】
Ｕ字型金具の両先端から内蔵の蜘蛛の糸が飛び出し、犯人の下肢から靴にまとわりつき、歩行の自由を奪う刺股で、警察官の到着を待つための時間かせぎの道具であり、極力犯人を傷つけぬよう配慮した。
【発明の詳細な説明】
【発明の詳細な説明】
【技術分野】
【０００１】本発明は、頻発する小学校などへの侵入者を防ぐための防御具に関する。
【背景技術】
【０００２】  さすまたは、江戸時代は首金（くびがね）とも呼ばれ、犯人の喉頸をおさえつけるための武器だったが、現在小学校等で使われているのはその武器から鋭利で危険な突起物を取り除いたものである。
以下、図１（平面図）によって説明し、現在のさすまたの問題点を指摘する。
図１は、１は防戦者が持つ柄の部分。２はＵ字型部分であるが、凶器を持った犯人に対抗するには玩具にひとしい単純な構造で、子どもを守る教師など防戦者にとってはあまりにも危険が大きく、充分な効力は期待できない。
また、特許庁に出願中のものは捕獲、逮捕を目的とするもので、使い手は体力が必要（例えば特許文献１、２、３）であったり、相手を傷つける突起物を備える（例えば特許文献４）など、過剰防衛の凶器といえる。【０００３】
【特許文献１】        特願２００３−１７５５３１
【特許文献２】        特願２００２−１５８９０４
【特許文献３】        特願２００２−１０９２２８
【特許文献４】        特願２００１−３５２２４７
【発明が解決しようとする課題】
【０００４】  闘争に慣れぬ防戦者の危険を軽減し、逃げ腰の女性教師でも子どもを護れるものにしたい。
【課題を解決するための手段】
【０００５】  本発明はＵ字型アルミパイプの中に蜘蛛の糸を内蔵して、Ｕ字型中央部分を犯人に押しつけた瞬間Ｕ字の中心が折れてＶ字になり、Ｖ字の両先端から内側へ飛び出した蜘蛛の糸が犯人の脚部に巻きついて雁字搦めにし、歩行の自由を奪うというものである。
【発明を実施するための最良の形態】
【０００６】  以下、本発明の実施例（Ｕ字中心部を犯人の下肢に押しつける）を図２、図３、図４、図５、図６、図７に基づいて説明する。
図２は本発明の外見平面図である。１は防戦者が構え持つアルミパイプの柄の部分。２−１と２−２は２本のアルミパイプで、６のビスで４の心棒につなぎ止められてＵ字型をなす。３は、実施時Ｕ字型からＶ字型になった２−１と２−２が、更に内側に曲がって犯人の体に巻きつくための蝶番である。４は１の内側から出た心棒で、４の先端に固定された５は薄いバネ式鋼鉄板であり、５の弾力が２−１と２−２を１に押しつけてＵ字型に保たしめている。７は４に固定されたビスで、１にあけられた溝穴８によって１とつながり、８の中を移動できる作り。
図３は本発明の内部を透視した平面図である。実施時は１に押された２−１と２−２が、さらに５を押して三者共にＶ字型になって５が犯人の体に密着する。その時７は８の中を後方に移動。１７は犯人の骨折などを防ぐためＵ字型の内側に貼られたゴム等のクッションであるが、説明しにくくなるため、図３以外の図面では割愛した。
以下は、左右同構造なので、片方のみの説明とする。９は２の先端の穴で、２に内蔵の錘１０が蜘蛛の糸１１（１０は１０個、１１はその両先端に１０をつけた５本だが、煩瑣を避けるため２個の錘と１本の蜘蛛の糸で図示する）を引っぱって飛び出していくための穴。１２は蜘蛛の糸（１１）を４につなぎ止めたフックで、実施時は１に装着のピン１３に押され、１２から１１がはずれて飛び出していくための仕掛け。１４は９の穴を二つに分けた仕切り板で、その両側に内蔵された錘と、錘に引っぱられた蜘蛛の糸が飛び出す。蜘蛛の糸は１４に引っかかって停まる。
図４は、本発明の分解図である。２は３の蝶番によって内側へ曲がる。１０・１１・１５は本発明の働きの核をなすもので、１０の錘と１１の蜘蛛の糸、及び１０に付着させた鉤１５を拡大して図示した。１０と１５は釣り具の錘に鉤を合体させたようなもので、これが犯人の足にまとわりつく。１１は太さ０．３ｍｍ程度、長さ約１４０ｃｍの鋼鉄針金。この長さ（二分されるので飛び出す距離はそれぞれ約７０ｃｍ）の蜘蛛の糸が両側から飛び出せば通常の大人の大腿部を回ったあたりで左右から来た錘同士、蜘蛛の糸同士は出会い、複雑に絡み合う。さらに、鉤の一部は犯人の衣服にも刺さって犯人の動きをとめる効果もある。ただし通常の魚釣り鉤では犯人に傷を負わせることになるので、主として犯人の衣服のみに刺さるように、烏賊角に似たカエシのない、烏賊角よりはずっと掛かりが浅い、１５のごとき鉤としたい。とはいえ、犯人が薄着の場合小さなとげ程度のものが肉体の一部をとらえることは当然予想されるので、その痛みも犯人の動きをにぶらせる。
図５は２−１と２−２を図２の左側（Ｕ字の内側）から見た側面図であるが、わかりよく説明するため、パイプの太さだけ拡大して書いた。９の穴とその中央の仕切り板１４とその両側にある５個ずつの錘１０。５は２−１から２−２の内側に張られたられた１枚の薄い鋼鉄板で、１６は５が納まるため２に用意された溝。この図は５がバネの弾力で２−１と２−２をＵ字型に保っている状態であり５の両端は２の中にかくれて突っ張っている。９−１と９−２の先端は、実施時ぶつからぬよう、パイプの太さ分だけ食い違う作り。
図６は実施時の本発明の外見平面図である。１に押された２−１と２−２が５の鋼鉄板を押して三者そろってＶ字型になり、更に２は内側へ曲がり、その勢いで飛び出した左右２０個の錘と１０本の蜘蛛の糸がＰ（犯人）の下半身、足、靴にまとわりつく。実施時の極限状態では、２−１と２−２の先端は食い違うからから、相手の体を捉え損なった場合、最悪でも片足にからみつく。
図７は、実施時Ｐ（犯人）の脚部に蜘蛛の糸がまとわりついた時の側面図である。これで防戦者が１を引っぱれば、体力の上まわる犯人でも容易に転倒させ得る。
【発明の効果】
【０００７】  現在のさすまたは戦う両者が傷つく危険性が高いが、本発明は犯人に接触すると同時に蜘蛛の糸が犯人の両足を雁字搦めにし、Ｕ字はバネの力で元の形にもどろうとして蜘蛛の糸を引っぱるから、たとえ防戦者が逃げ出したとしても犯人は蜘蛛の糸をはずして歩行できるようになるまで時間を要し、子どもを逃がす余裕は充分とれる。また、本発明が周知となれば、犯人に侵入をためらわせるという心理的効果も生じる。
【図面の簡単な説明】
【０００８】
【図１】従来のさすまたの平面図である。
【図２】本発明の外見平面図である。
【図３】同内部構造を透視した平面図である。
【図４】同部品の分解図である。
【図５】同２−１と２−２を図２の左側（Ｕ字の内側）から見た側面図である。
【図６】本発明が犯人に接触する瞬間の平面図である。
【図７】同実施時の犯人下半身の側面図である。
【符号の説明】
【０００９】  １  従来のさすまた及び本発明の柄の部分。
２  同Ｕ字型金具。
３  本発明の２が内側に曲がるようにつけられた蝶番。
４  同１と２−１、２−２をつなぐ心棒。
５  同４に固定されたバネ式鋼鉄板。
６  同４と２−１、２−２を結合させたビス。
７  同１と４をつなぐビス。
８  同７が移動するため１にあけた溝穴。
９  同２の先端にある穴で、ここから蜘蛛の糸が飛び出ていく。
１０  同２に内蔵され、実施時９から飛び出していく錘。
１１  同２に内蔵され、１０につなげられた蜘蛛の糸。
１２  同１１を２につなぎとめたフック。
１３  同１に装着のピンで、実施時は１２を押して１１をはずす。
１４  同９の口を二分する仕切り板で、両側に５個ずつ納められた１０個の１０と５本の１１が飛び出すが、１１はここに引っかかって止まる。
１５  同１０の錘についた鉤。
１６  同５をおさめるため２につけられた溝。
１７  同Ｕ字型の内側に貼られたクッション。
【図１】
2006292343.tif 000003
【図２】
2006292343.tif 000004
【図３】
2006292343.tif 000005
【図４】
2006292343.tif 000006
【図５】
2006292343.tif 000007
【図６】
2006292343.tif 000008
【図７】
2006292343.tif 000009